(57)【要約】【課題】より快適な睡眠が得られる空気調和機を提供する。【解決手段】本空気調和機は、室内設定温度から室内補正温度に制御する就寝モード制御を行う制御手段１２と機能性を有する香料を蒸散させる香料蒸散装置８を備え、制御手段１２は就寝モード制御と香料蒸散装置８の運転制御を連動して実行するとともに、香料蒸散手段８の運転を就寝モード制御の開始時刻よりも前に開始するように制御する。【選択図】  図２
2007212109.tif 000002
【特許請求の範囲】
【請求項１】
ユーザが設定した室内設定温度を補正して制御する就寝モード制御を行う制御手段を有する空気調和機において、
前記空気調和機の室内機と一体あるいは別体に設けられ、機能性を有する香料を蒸散させる蒸散装置を備え、
前記制御手段は前記就寝モード制御と前記蒸散装置の運転制御を連動して実行するとともに、前記蒸散手段の運転を前記就寝モード制御の開始時刻よりも前に開始するように制御することを特徴とする空気調和機。
【請求項２】
前記制御手段は前記就寝モード制御の終了時刻よりも前に、前記蒸散手段の運転を停止するように制御することを特徴とする請求項１記載の空気調和機。
【請求項３】
ユーザが設定した室内設定温度を補正して制御する就寝モード制御を行う制御手段を有する空気調和機において、
前記空気調和機の室内機と一体あるいは別体に設けられ、機能性を有する香料を蒸散させる蒸散装置を備え、
前記制御手段は就寝モード制御と蒸散装置の運転制御を連動して実行するとともに、前記就寝モード制御の終了時刻よりも前に、前記蒸散手段の運転を停止するように制御することを特徴とする空気調和機。
【請求項４】
前記制御手段は就寝モード制御の開始と同時に蒸散装置の運転を開始するように制御することを特徴とする請求項３記載の空気調和機。
【発明の詳細な説明】
【技術分野】
【０００１】
本発明は空気調和機に係り、特に就寝モード制御による温度制御及び機能性香料の蒸散機能を備えた空気調和機に関する。
【背景技術】
【０００２】
従来、入眠しようとするユーザーの微妙な生理状態にマッチし、ユーザーがスムーズに入眠できる室内温度環境を得る目的で、室温変化特性線がユーザー設定温度から室内温度が一旦漸減する漸減領域と、その後室内温度が漸増する漸増領域とを有するように制御する就寝モード制御手段を備える空気調和機が提案されている（特許文献１）。
【０００３】
また、香料蒸散装置を備え、生体情報に基づいて覚醒効果又は鎮静効果のある香料を蒸散させるようにした空気調和機が提案されている（特許文献２、３）。
【０００４】
しかしながら、特許文献１の空気調和機は単に就寝モード制御手段を備えるものであり、より快適な睡眠が得られるものではなく、また、特許文献２、３の空気調和機は、就寝モード制御による温度制御とは関係のない香料の蒸散制御であり、就寝モード制御による温度制御と香料の蒸散制御とを連動させるものではなく、より快適な睡眠が得られるものではない。
【特許文献１】特開２００４−９２９１８号公報
【特許文献２】特開平５−５２３６１号公報
【特許文献３】特開２００３−３８６３０号公報
【発明の開示】
【発明が解決しようとする課題】
【０００５】
本発明は上述した事情を考慮してなされたもので、就寝モード制御による温度制御と機能性を有する香料の蒸散を連動させ、より快適な睡眠が得られる空気調和機を提供することを目的とする。
【課題を解決するための手段】
【０００６】
上述した目的を達成するため、本発明に係る空気調和機は、ユーザーが設定した室内設定温度を補正して制御する就寝モード制御を行う制御手段を有する空気調和機において、前記空気調和機の室内機と一体あるいは別体に設けられ、機能性を有する香料を蒸散させる蒸散装置を備え、前記制御手段は前記就寝モード制御と前記蒸散装置の運転制御を連動して実行するとともに、前記蒸散手段の運転を前記就寝モード制御の開始時刻よりも前に開始するように制御することを特徴とする。
【０００７】
また、本発明に係る空気調和機は、ユーザーが設定した室内設定温度を補正して制御する就寝モード制御を行う制御手段を有する空気調和機において、前記空気調和機の室内機と一体あるいは別体に設けられ、機能性を有する香料を蒸散させる蒸散装置を備え、前記制御手段は就寝モード制御と蒸散装置の運転制御を連動して実行するとともに、前記就寝モード制御の終了時刻よりも前に、前記蒸散手段の運転を停止するように制御することを特徴とする。
【発明の効果】
【０００８】
本発明に係る空気調和機によれば、より快適な睡眠が得られる空気調和機を提供することができる。
【発明を実施するための最良の形態】
【０００９】
本発明に係る空気調和機の第１実施形態について添付図面を参照して説明する。
【００１０】
図１は本発明の第１実施形態に係る空気調和機の室内機の縦断面図である。
【００１１】
図１に示すように、第１実施形態の空気調和機の室内機１は、本体２内に室内熱交換器３、送風機４、電気集塵機５を備え、前面部及び上部に設けられた吸込口６ａ、６ｂから室内空気を吸込み、電気集塵機５で清浄化され室内熱交換器３で熱交換された空気を下部に設けられた吹出口７から室内に吹出すようになっている。
【００１２】
また、本体２の背面下部には、リラックス効果、鎮静効果等の心地よい眠りを誘う機能性を有する香料蒸散装置８が設けられ、この香料蒸散装置８で発生した香料は、送風路９を形成するケーシング１０に設けられた開口１１から、上記熱交換空気と一緒に室内に吹出すようになっている。
【００１３】
なお、香料蒸散装置８は室内機１と別体に形成し、設置してもよい。
【００１４】
また、空気調和機は、運転時に後述する室内温度を就寝モードに制御し、また、香料蒸散装置８を制御する制御手段１２を備える。
【００１５】
次に、制御手段１２による空気調和機の制御内容について説明する。
【００１６】
図２は就寝前〜起床後の香料の室内空間濃度とエアコン運転による室内温度の関係を示すもので、図２に示すように、例えば、ユーザーは、空気調和機の冷房運転中に、２３時の就寝予定時刻に合わせて、２３時から運転モードが就寝モードになるよう予めリモコン等により設定する。
【００１７】
空気調和機の運転中に２３時になると就寝モードによる温度制御が開始される。この就寝モードによる温度制御は、ユーザーが設定した設定温度２７℃に対し、制御開始から室内温度が一旦漸減する漸減領域を有し、約１時間で約１℃低下（２６℃）させて入眠を促進させる。
【００１８】
その後、低下した温度で約２時間（１時間〜３時間の間が望ましい）一定の温度に制御し安定した睡眠が得られるようにする。この期間に温度変化があると安定した睡眠が得られず、目覚めてしまう可能性がある。上記２時間経過後は室内温度が漸増する漸増領域となり、起床予定時刻の翌朝６時には設定温度より１℃高い温度（２８℃）になるように制御して寝冷えを防止する。その後はこの温度が維持されるか、または、設定温度のとおりに制御される。
【００１９】
一方、香料蒸散装置８は上記就寝モードが設定されると、これと連動して就寝モードの制御開始時刻よりも所定時間早い時刻（図２では２時間前の２１時）から、蒸散を開始し、リラックス効果、鎮静効果等の心地よい眠りを誘う機能性を有する香料を蒸散させる。
【００２０】
すなわち、香料が室内空間へ拡散し始め、効果を発揮する空間濃度（例えば０．１ｐｐｍ）に達するまでには所定の時間が必要であるので、就寝モードの制御開始時刻前から蒸散を開始することにより、就寝モードの制御開始時刻である２３時には効果を発揮する空間濃度にして、入眠を促進することができる。そして、就寝モードの制御の期間中、効果を発揮する空間濃度以上に維持する。
【００２１】
第１実施形態の空気調和機は、就寝時の室内空間の香料が、その機能性効果を発揮する濃度になるように、就寝モードの制御開始時刻よりも所定時間早い時刻に香料蒸散を開始するように制御することにより、就寝のタイミングで最適な生体の状態にコントロールすることができる。
【００２２】
香料はリラックス効果、鎮静効果等の心地よい眠りを誘う機能性を有する香料であればいずれでもよく、香りの弱い、あるいは無香に近いものであってもよい。例えば、安息香酸、ゼラニウム、乳香、白檀、マジョラム、ラベンダー、ラバンディン等はリラックスさせる香料として知られており、また、スイートオレンジ、ジャーマンカモマイル、ローマンカモマイル、リンデン等は心地よい眠りを誘う香料として知られている。
【００２３】
上記第１実施形態の空気調和機によれば、就寝モードの温度制御と機能性を有する香料との相乗効果により、入眠が促進されるとともに、安定した睡眠が実現される。
【００２４】
また、本発明に係る空気調和機の第２実施形態について説明する。
【００２５】
本第２実施形態は、第１実施形態が香料の蒸散を就寝前の設定入力時刻に開始するようにしたものであるのに対して、香料の蒸散を起床予定時刻（就寝モード制御の終了時刻）前に停止するようにしたものである。
【００２６】
例えば、図３に示すように、第２実施形態の空気調和機は、香料の蒸散が既に開始されている状態で、２３時から運転モードが就寝モードになるよう予め、あるいは、２３時の就寝時にリモコン等により設定する。
【００２７】
２３時になると、あるいは、２３時の就寝モードの設定と同時に、就寝モードによる温度制御が開始される。この温度制御は上記第１実施形態で説明したものと同一である。一方、香料蒸散装置８は上記就寝モードが設定されると、これと連動して制御されるようになり、就寝モードの制御開始後も機能性を有する香料の蒸散が継続される。これにより、就寝モードの温度制御と機能性を有する香料との相乗効果により、入眠が促進されるとともに、安定した睡眠が実現される。
【００２８】
そして、起床予定時刻の翌朝６時の所定時間前、例えば、３時間前の３時になると、香料の蒸散が停止される。その結果、室内空間の香料の濃度が次第に低下し、起床予定時刻の６時には、香料が効果を発揮する空間濃度未満の０．０５ｐｐｍまで低下し、すっきりと目覚めることができるとともに、香料の使用量を低減できる。
【００２９】
また、本発明に係る空気調和機の第３実施形態について説明する。
【００３０】
本第３実施形態は、香料の蒸散を就寝モードの制御開始と同時に開始し、起床予定時刻（就寝モード制御の終了時刻）前に停止するようにしたものである。
【００３１】
例えば、図４に示すように、第３実施形態の空気調和機は、２３時から運転モードが就寝モードになるよう予め、あるいは、２３時の就寝時にリモコン等により設定する。２３時になると、あるいは、２３時の就寝モードの設定と同時に、就寝モードによる温度制御が開始される。この温度制御は上記第１実施形態で説明したものと同一である。一方、香料蒸散装置８はこれと連動して就寝モードの制御開始と同時に香料の蒸散が就寝時に開始される。室内空間の機能性を有する香料の濃度は、蒸散の開始後次第に高くなり、これにより、就寝モードの温度制御と機能性を有する香料との相乗効果により、入眠が促進されるとともに、安定した睡眠が実現される。
【００３２】
そして、起床予定時刻の翌朝６時の所定時間前、例えば、約３時間前の３時過ぎになると、香料の蒸散が停止される。その結果、上記第２実施形態のものと同様に、室内空間の香料の濃度が次第に低下し、起床予定時刻の６時にはすっきりと目覚めることができる。
【００３３】
本第３実施形態は、香料の蒸散を就寝モードの制御開始と同時に開始するので、就寝モード制御と蒸散装置の運転制御を容易に連動させることができる。
【００３４】
また、本発明に係る空気調和機の第４実施形態について説明する。
【００３５】
本第４実施形態は、就寝モードの制御開始時刻よりも所定時間早い時刻に香料蒸散を開始するとともに、香料の蒸散を起床予定時刻（就寝モード制御の終了時刻）前に停止するようにしたものである。
【００３６】
例えば、ユーザーは、空気調和機の冷房運転中に、２３時の就寝予定時刻に合わせて、２３時から運転モードが就寝モードになるよう予めリモコン等により設定する。空気調和機の運転中に２３時になると就寝モードによる温度制御が開始される。この温度制御は上記第１実施形態で説明したものと同一である。
【００３７】
一方、香料蒸散装置８は上記就寝モードが設定されると、これと連動して就寝モードの制御開始時刻よりも所定時間早い時刻（図５では２時間前の２１時）から、蒸散を開始し、リラックス効果、鎮静効果等の心地よい眠りを誘う機能性を有する香料を蒸散させ、就寝モードの制御開始時刻である２３時には効果を発揮する空間濃度にして、入眠を促進することができる。そして、その後も蒸散を継続し、効果を発揮する空間濃度以上に維持する。
【００３８】
そして、起床予定時刻の翌朝６時の所定時間前、例えば、３時間前の３時になると、香料の蒸散が停止される。その結果、上記第２実施形態のものと同様に、室内空間の香料の濃度が次第に低下し、起床予定時刻の６時にはすっきりと目覚めることができる。
【図面の簡単な説明】
【００３９】
【図１】本発明の第１実施形態に係る空気調和機の室内機の縦断面図。
【図２】本発明の第１実施形態に係る空気調和機の就寝モード制御と香料蒸散装置の制御の相関図。
【図３】本発明の第２実施形態に係る空気調和機の就寝モード制御と香料蒸散装置の制御の相関図。
【図４】本発明の第３実施形態に係る空気調和機の就寝モード制御と香料蒸散装置の制御の相関図。
【図５】本発明の第４実施形態に係る空気調和機の就寝モード制御と香料蒸散装置の制御の相関図。
【符号の説明】
【００４０】
１…空気調和機の室内機、２…本体、３…室内熱交換器、４…送風機、５…電気集塵機、６ａ、６ｂ…吸込口、７…吹出口、８…香料蒸散装置、９…送風路、１０…ケーシング、１１…開口、１２…制御手段。
【図１】
2007212109.tif 000003
【図２】
2007212109.tif 000004
【図３】
2007212109.tif 000005
【図４】
2007212109.tif 000006
【図５】
2007212109.tif 000007